(57)【要約】【課題】ユーザが所望の画像を容易に選択することができる画像処理装置を提供する。【解決手段】一覧表示において、複数の画像データの縮小画像であるサムネイル画像Ｓが表示される（イメージａ〜ｈ）。各画像データ中の文頭などの識別しやすい部分が切り出され、サムネイル画像Ｓの近傍に拡大して表示される（吹き出し表示Ｂ）。これによりユーザは容易に画像データの内容を識別することができ、所望の画像データを選択することができる。【選択図】図３
2008298903.tif 000002
【特許請求の範囲】
【請求項１】
入力された画像データからその縮小画像を作成する縮小画像作成手段と、
前記縮小画像の一部が拡大された画像を作成する作成手段と、
画像の一覧を表示する場合において、前記縮小画像を表示し、その近傍に前記作成手段で作成された画像を表示する表示手段とを備えた、画像処理装置。
【請求項２】
前記縮小画像作成手段は、複数の画像データのそれぞれの縮小画像を作成し、
前記表示手段は、複数の画像の一覧を表示する、請求項１に記載の画像処理装置。
【請求項３】
画像中の文字の部分を検出する検出手段をさらに備え、
前記作成手段は、画像中の文字の部分が拡大された画像を作成する、請求項１または２に記載の画像処理装置。
【請求項４】
前記検出手段は、文字画像の文頭部分を検出し、
前記作成手段は、画像中の文字の文頭部分が拡大された画像を作成する、請求項３に記載の画像処理装置。
【請求項５】
前記入力された画像データがＦＡＸ送信画像の場合には、前記作成手段は、送信者または受信先に応じて予め設定された箇所が拡大された画像を作成する、請求項１から４のいずれかに記載の画像処理装置。
【請求項６】
前記入力された画像データがＦＡＸ受信画像の場合には、前記作成手段は、送信先に応じて予め設定された箇所が拡大された画像を作成する、請求項１から５のいずれかに記載の画像処理装置。
【請求項７】
画像内の文字サイズを自動判別する文字サイズ判別手段をさらに備え、
前記作成手段は、前記文字サイズ判別手段で判別された文字のサイズが、予め決められたサイズより小さい場合に画像を作成する、請求項１から６のいずれかに記載の画像処理装置。
【請求項８】
前記画像データ内に文字以外の画像がある場合に、その画像のサイズを自動判別する画像サイズ判別手段をさらに備え、
前記作成手段は、前記画像サイズ判別手段で判別された画像のサイズに基づいて、拡大画像を作成するか否か決定する、請求項１から７のいずれかに記載の画像処理装置。
【請求項９】
前記作成手段は、縮小画像中の複数個所のそれぞれが拡大された画像を作成する、請求項１から８のいずれかに記載の画像処理装置。
【請求項１０】
前記作成手段は、前記入力された画像データが文字以外の画像を含む場合に、その画像の部分が拡大された画像を作成する、請求項１から９のいずれかに記載の画像処理装置。
【請求項１１】
入力された画像データからその縮小画像を作成する縮小画像作成ステップと、
前記縮小画像の一部が拡大された画像を作成する作成ステップと、
画像の一覧を表示する場合において、前記縮小画像を表示し、その近傍に前記作成ステップで作成された画像を表示する表示ステップとを備えた、画像処理装置の制御方法。
【請求項１２】
入力された画像データからその縮小画像を作成する縮小画像作成ステップと、
前記縮小画像の一部が拡大された画像を作成する作成ステップと、
画像の一覧を表示する場合において、前記縮小画像を表示し、その近傍に前記作成ステップで作成された画像を表示する表示ステップとをコンピュータに実行させる、画像処理装置の制御プログラム。
【発明の詳細な説明】
【技術分野】
【０００１】
この発明は画像処理装置、画像処理装置の制御方法、および画像処理装置の制御プログラムに関し、特に、画像を蓄積し、蓄積した画像を表示することができる画像処理装置、画像処理装置の制御方法、および画像処理装置の制御プログラムに関する。
【背景技術】
【０００２】
コンピュータ、ＭＦＰ（Multi Function Peripheral）などの画像形成装置、携帯端末装置、および操作機器などには、その画面に画像を表示するための画像処理装置が用いられている。
【０００３】
また、蓄積された複数のデータファイルからユーザが必要なファイルを選択できるように、複数のファイルの画像を一覧表示する機能を設けた画像処理装置が存在する。ここに一覧表示とは、ファイルの画像を縮小して複数の画像を１画面に同時に表示させる機能である。
【０００４】
下記特許文献１には、複数のイメージを同時に表示させる一覧表示機能を有するイメージファイリング装置が開示されている。画像データは短冊の形状に分割され、各画像の先頭部分が並べて表示される。イメージを縮小して一括表示する場合に、指定された任意のエリアが表示される。また、表示エリアをスクロールすることが可能である。
【０００５】
特許文献２は、画像データから文書タイトル箇所をタブレットで指定して切取り、一覧表示する表示器を開示している。切取った画像データが見やすいように、一覧表示する際に倍率補正が行なわれる。
【特許文献１】特開平９−１６７４６号公報
【特許文献２】特開平５−２５８５号公報
【発明の開示】
【発明が解決しようとする課題】
【０００６】
表示装置に複数の画像を一覧表示する場合において、文字だけの画像が縮小されるとサイズが小さくなり、ユーザは文字を読むことが出来ないことがある。この結果、ユーザが所望のファイルを選択することが難しいという問題があった。
【０００７】
文字以外の写真や図がある場合でも、多くの画像を一度に表示すると、写真や図が小さくなるため、ユーザにとって画像の判別が困難になるという問題があった。
【０００８】
画像の判別ができない場合には、ユーザはファイルの内容を確認するためにプレビュー表示を行なう必要が生じ、不便である。
【０００９】
この発明はそのような問題点を解決するためになされたものであり、ユーザが所望の画像を容易に選択することができる画像処理装置、画像処理装置の制御方法、および画像処理装置の制御プログラムを提供することを目的としている。
【課題を解決するための手段】
【００１０】
上記目的を達成するためこの発明のある局面に従うと、画像処理装置は、入力された画像データからその縮小画像を作成する縮小画像作成手段と、縮小画像の一部が拡大された画像を作成する作成手段と、画像の一覧を表示する場合において、縮小画像を表示し、その近傍に作成手段で作成された画像を表示する表示手段とを備える。
【００１１】
好ましくは縮小画像作成手段は、複数の画像データのそれぞれの縮小画像を作成し、表示手段は、複数の画像の一覧を表示する。
【００１２】
好ましくは画像処理装置は、画像中の文字の部分を検出する検出手段をさらに備え、作成手段は、画像中の文字の部分が拡大された画像を作成する。
【００１３】
好ましくは検出手段は、文字画像の文頭部分を検出し、作成手段は、画像中の文字の文頭部分が拡大された画像を作成する。
【００１４】
好ましくは、入力された画像データがＦＡＸ送信画像の場合には、作成手段は、送信者または受信先に応じて予め設定された箇所が拡大された画像を作成する。
【００１５】
好ましくは、入力された画像データがＦＡＸ受信画像の場合には、作成手段は、送信先に応じて予め設定された箇所が拡大された画像を作成する。
【００１６】
好ましくは画像処理装置は、画像内の文字サイズを自動判別する文字サイズ判別手段をさらに備え、作成手段は、文字サイズ判別手段で判別された文字のサイズが、予め決められたサイズより小さい場合に画像を作成する。
【００１７】
好ましくは画像処理装置は、画像データ内に文字以外の画像がある場合に、その画像のサイズを自動判別する画像サイズ判別手段をさらに備え、作成手段は、画像サイズ判別手段で判別された画像のサイズに基づいて、拡大画像を作成するか否か決定する。
【００１８】
好ましくは作成手段は、縮小画像中の複数個所のそれぞれが拡大された画像を作成する。
【００１９】
好ましくは作成手段は、入力された画像データが文字以外の画像を含む場合に、その画像の部分が拡大された画像を作成する。
【００２０】
この発明の他の局面に従うと画像処理装置の制御方法は、入力された画像データからその縮小画像を作成する縮小画像作成ステップと、縮小画像の一部が拡大された画像を作成する作成ステップと、画像の一覧を表示する場合において、縮小画像を表示し、その近傍に作成ステップで作成された画像を表示する表示ステップとを備える。
【００２１】
この発明の他の局面に従うと画像処理装置の制御プログラムは、入力された画像データからその縮小画像を作成する縮小画像作成ステップと、縮小画像の一部が拡大された画像を作成する作成ステップと、画像の一覧を表示する場合において、縮小画像を表示し、その近傍に作成ステップで作成された画像を表示する表示ステップとをコンピュータに実行させる。
【発明の効果】
【００２２】
これらの発明に従うと、ユーザが所望の画像を容易に選択することができる画像処理装置、画像処理装置の制御方法、および画像処理装置の制御プログラムを提供することが可能となる。
【発明を実施するための最良の形態】
【００２３】
以下、本発明の実施の形態における画像処理装置について説明する。
【００２４】
画像処理装置は、画像の一覧表示を行なう場合に、画像を縮小表示すると共に、画像の一部を切り出して拡大表示する。これにより、ユーザにとって所望の画像を一覧表示の中から容易に選択することが可能となる。
【００２５】
なお、切り出した画像（「切り出し画像」と称する。）は、縮小画像に対して拡大された画像となればよい。たとえば、縮小前の元々のサイズの画像から切り出した画像を切り出し画像としてそのまま縮小画像とともに表示してもよい。
【００２６】
また画像の領域判別を行なうことで、画像を切り出す位置を決定することとしてもよい。さらに、切り出し画像の倍率を調整できようにしてもよい。
【００２７】
［第１の実施の形態］
【００２８】
図１は、本発明の第１の実施の形態における画像処理装置を搭載した画像形成装置の構成を示すブロック図である。
【００２９】
画像形成装置は、ＭＦＰ、ファクシミリ装置、複写機などに搭載される。
【００３０】
図を参照して画像形成装置は、ＣＰＵ１０１と、画像入力部１０２と、メモリ部１０３と、画像判別部１０４と、画像拡大・縮小部１０５と、表示部１０６と、画像出力部１０７と、通信部１０９とを備えている。
【００３１】
ＣＰＵ１０１は画像形成装置全体の制御を行なう。メモリ部１０３は、ＣＰＵ１０１の制御プログラムや画像データを格納する。メモリ部１０３は、複数のデータファイルを蓄積する。これらのファイルは、表示部１０６において表示される画像データとなる。
【００３２】
画像入力部１０２は、原稿を読み取って画像を作成したり、外部デバイスから画像を入力する。
【００３３】
画像判別部１０４は、画像データから文字、写真などの領域を判別したり、文字のサイズ、画像データの天地など判別する。画像拡大・縮小部１０５は、画像データの倍率を任意に変更する機能を有し、画像データを変倍する。
【００３４】
表示部１０６は、液晶ディスプレイなどで構成され、ＣＰＵ１０１が作成する情報や画像を表示する。画像出力部１０７は、画像データをプリントする。通信部１０９は、画像データを、ファクシミリ回線や、インターネットなどの通信回線を通じて入出力する。
【００３５】
図２は、メモリ部１０３に記録されるデータの具体例を示す図である。
【００３６】
図に示されるように、メモリ部１０３には、複数のデータファイルの画像データ２０１ａ〜２０１ｄと、それぞれの画像データに対応させたサムネイル表示用データ２０３ａ〜２０３ｄと、画像データに対応させた切り出し画像２０５ａ，２０５ｂ，２０５ｄとが記憶されている。
【００３７】
サムネイル表示用データとは、画像データの少なくとも一部（たとえばデータファイルの１ページ目の画像）を縮小させた、サムネイル画像を表示するためのデータであり、一覧表示を行なうときに使用される。切り出し画像とは、画像データの少なくとも一部（たとえばデータファイルの１ページ目のタイトルの文字が記載された部分）を切り出した画像であって、サムネイル画像よりも拡大されている画像である。
【００３８】
切り出し画像は、全ての画像データに対応させて記憶させる必要はなく、サムネイル画像だけではその内容がユーザにとっては判りにくいもの（例えば、画像データが文字だけからなるデータであって、サムネイルでは文字が小さくなりすぎてユーザが文字を読めないもの）に対してのみ記憶させることができる。
【００３９】
サムネイル表示用データ、および切り出し画像は、元の画像データに基づいて作成される。
【００４０】
図３は、表示部１０６に表示される画像の一覧表示の具体例を示す図である。
【００４１】
一覧表示においては、画像データのサムネイル画像が表示される。すなわち画像は、表示画面内に複数収まるサイズに縮小されて表示される。ここでは表示部に８個のサムネイル画像Ｓを一覧表示する場合を示している（それぞれを、イメージａ〜ｈと称する）。
【００４２】
図ではサムネイル画像中の文字を四角形で示している。一覧表示されたサムネイル画像においてユーザは、画像中に文字があることを理解することができる。しかし、文字のサイズが小さいため、ユーザは文字を読むことが困難である。そのためユーザは、サムネイル画像Ｓの文字情報のみから、所望する画像を選択することが出来ないことが多い。
【００４３】
そこで本実施の形態では、画像中の文頭などの識別しやすい部分を切り出して、一覧表示しているサムネイル画像Ｓの近傍に拡大表示することとしている（吹き出し表示Ｂ）。これによりユーザは容易に画像を識別することができる。
【００４４】
たとえば、イメージａでは、サムネイル画像Ｓ中の文字部分の文頭の「□□報告書」の部分がサムネイル画像よりは拡大され、吹き出し表示Ｂとして表示される。ユーザは、サムネイル画像Ｓにおいて文字を認識できない場合でも、吹き出し表示Ｂの内容を見ることで画像の内容を理解することができる。
【００４５】
同様に、イメージｂ、ｄ、ｅ、ｆ、ｇにおいても文章の一部が拡大表示されている。イメージｃ、ｈにおいては、ある程度大きなサイズの図や写真が含まれており、それらからユーザは画像の内容を知ることができると考えられるので、吹き出し画像は表示されない。
【００４６】
図４は、画像処理装置が実行する画像の一覧表示の処理を示すフローチャートである。
【００４７】
画像処理装置は、原稿を読み取るなどして画像データのファイルを作成したり、外部記憶装置や通信回線から画像データを取得する。それら画像データが装置に入力される（Ｓ１０１）。画像データは、メモリ部に格納される（Ｓ１０２）。
【００４８】
画像データをメモリ部に格納する際に、一覧表示用の縮小画像（サムネイル画像）を画像データから作成し、画像データに関連づけてメモリ部に格納する（Ｓ１０３）。
【００４９】
文頭部分などのみを拡大して表示（吹き出し表示）するため、吹き出し画像を元の画像データから作成し（Ｓ１０４）、画像データに関連づけてメモリに格納する。
【００５０】
図５は、図４の吹き出し画像作成処理（Ｓ１０４）の内容を示すフローチャートである。
【００５１】
画像判別部１０４において、画像データが文字であるか、図や写真などの画像であるかを判別する（Ｓ２０１）。画像データ中に文字がない場合（Ｓ２０１でＮＯ）は、吹き出し表示用の画像は作成しない。
【００５２】
画像データが文字である場合（Ｓ２０１でＹＥＳ）は、画像内の文章の文頭を検出する（Ｓ２０２）。検出した文頭箇所より画像を切り出し（Ｓ２０３）、吹き出し表示に適した文字サイズになるように倍率を調整する（Ｓ２０４）。作成した吹き出し用画像データ（切り出し画像）は画像データと関連づけてメモリに格納される（Ｓ２０５）。
【００５３】
このようにして図２に示されるように、画像データとともに、サムネイル表示用データと、切り出し画像とが格納される。また、サムネイル表示用データと、切り出し画像とを用いることで、図３に示されるような表示が行われる。
【００５４】
すなわち本実施の形態によると、画像を一覧表示する場合に、複数の画像を縮小表示すると共に、画像の一部を切り出して拡大することができる。これによりユーザは所望の画像を一覧表示の中から容易に選択することができるという効果がある。
【００５５】
［第２の実施の形態］
【００５６】
本発明の第２の実施の形態における画像処理装置を搭載した画像形成装置の構成は、第１の実施の形態と同じであるため、ここでの説明を繰返さない。第２の実施の形態における画像形成装置は、ＦＡＸ（ファクシミリ）送信用画像を取扱う。
【００５７】
本実施の形態では、ＦＡＸの送信者または受信先のそれぞれに対して、ＦＡＸの定型フォーマットを記憶させておき、定型フォーマット中の件名を記載する箇所が吹き出しで表示させる箇所として登録される。すなわち、定型フォーマット中においては、件名を記載する箇所が決められている。その箇所を吹き出し表示すれば、ユーザは容易に所望の画像を識別することが出来る。
【００５８】
図６は、第２の実施の形態における画像形成装置で実行される吹き出し画像作成処理（図４のＳ１０４）の内容を示すフローチャートである。
【００５９】
画像判別部１０４において、メモリ格納の対象となる画像データがＦＡＸ送信用の画像であるかを判別する（Ｓ３０１）。このような判別は、画像の属性情報などに基づいて行なうことができる。ＦＡＸ送信用の画像でない場合（Ｓ３０１でＮＯ）は、図４のメインルーチンへ戻る。または、図５の画像データが文字である場合の処理を行なってから図４のメインルーチンへ戻ることとしてもよい。
【００６０】
ＦＡＸ送信用画像の場合（Ｓ３０１でＹＥＳ）は、そのＦＡＸの送信者または受信先がメモリ部１０３に登録されているか判別する。登録されていない場合（Ｓ３０２でＮＯ）は、図５での処理と同様に、画像中の文書の文頭箇所を検出し（Ｓ３０７）、それを切り出すことで吹き出し画像を作成する（Ｓ３０８）。その後、ステップＳ３０５へ進む。
【００６１】
送信者または受信先が登録されている場合（Ｓ３０２でＹＥＳ）は、ＦＡＸ送信用の定型フォーマットがあることを示している。この場合は、画像データ格納時に登録データに基づいて指定箇所を選択する（Ｓ３０３）。選択された箇所を切り出し（Ｓ３０４）、切り出し画像の倍率を調整する（Ｓ３０５）。これにより、吹き出し用の画像データを作成する。作成した吹き出し用画像データは、元のＦＡＸ送信画像データと関連づけてメモリに格納される（Ｓ３０６）。
【００６２】
［第３の実施の形態］
【００６３】
本発明の第３の実施の形態における画像処理装置を搭載した画像形成装置の構成は、第１の実施の形態と同じであるため、ここでの説明を繰返さない。第３の実施の形態における画像形成装置は、ＦＡＸ（ファクシミリ）受信画像を取扱う。
【００６４】
本実施の形態では、ＦＡＸの送信先（または送信元）に対して、ＦＡＸの定型フォーマットを記憶させておき、定型フォーマット中の件名を記載する箇所が吹き出しで表示させる箇所として登録される。すなわち、定型フォーマット中においては、件名を記載する箇所が決められている。その箇所を吹き出し表示すれば、ユーザは容易に所望の画像を識別することが出来る。
【００６５】
図７は、第３の実施の形態における画像形成装置で実行される吹き出し画像作成処理（図４のＳ１０４）の内容を示すフローチャートである。
【００６６】
画像判別部１０４において、メモリ格納の対象となる画像データがＦＡＸ受信画像かを判別する（Ｓ４０１）。ＦＡＸ受信画像でない場合（Ｓ４０１でＮＯ）は、図４のメインルーチンへ戻る。または、図５の画像データが文字である場合の処理、および図６の画像データがＦＡＸ送信画像である場合の処理の少なくとも一方を行なってから、図４のメインルーチンへ戻ることとしてもよい。
【００６７】
ＦＡＸ受信画像の場合（Ｓ４０１でＹＥＳ）は、ＦＡＸ送信先（または送信元）の原稿フォーマットが登録されているか判別する（Ｓ４０２）。登録されていない場合（Ｓ４０２でＮＯ）は、図５での処理と同様に、画像中の文書の文頭箇所を検出し（Ｓ４０７）、それを切り出すことで吹き出し画像を作成する（Ｓ４０８）。その後、ステップＳ４０５へ進む。
【００６８】
フォーマットが予め登録されている場合（Ｓ４０２でＹＥＳ）は、登録されている箇所を選択する（Ｓ４０３）。通常は、予め件名記載箇所が登録されているものとする。選択された箇所を切り出し（Ｓ４０４）、切り出し画像の倍率を調整する（Ｓ４０５）。これにより、吹き出し用の画像データを作成する。作成した吹き出し用画像データは、元のＦＡＸ受信画像データと関連づけてメモリに格納される（Ｓ４０６）。
【００６９】
［第４の実施の形態］
【００７０】
本発明の第４の実施の形態における画像処理装置を搭載した画像形成装置の構成は、第１の実施の形態と同じであるため、ここでの説明を繰返さない。第４の実施の形態における画像形成装置では、画像の文字サイズに応じて吹き出し表示画像を作成するか否か決定する。
【００７１】
図８は、第４の実施の形態における画像形成装置で実行される吹き出し画像作成処理（図４のＳ１０４）の内容を示すフローチャートである。
【００７２】
画像判別部１０４において、メモリ格納の対象となる画像データが文字なのか、または写真などの画像なのかを判別する（Ｓ５０１）。画像データ中に文字がなく、写真画像などである場合（Ｓ５０１でＮＯ）は、吹き出し表示用の画像は作成しない。すなわち、処理の対象となる画像を吹き出し表示をしない設定とし（Ｓ５０７）、メインルーチンへ戻る。これは、写真などだけからなる画像であれば、サムネイル表示だけでユーザに内容を伝えることが可能であるためである。
【００７３】
画像データが文字を含むものであると判別されると（Ｓ５０１でＹＥＳ）、その文字サイズが予め設定されたサイズより大きいか小さいかを判別する（Ｓ５０２）。文字サイズが設定したサイズより大きい場合（Ｓ５０２でＮＯ）は吹き出し表示用の画像は作成しない（Ｓ５０７）。これは、ある程度文字が大きければサムネイル表示だけでユーザに内容を伝えることが可能であるためである。
【００７４】
文字サイズが設定されたサイズより小さい場合（Ｓ５０２でＹＥＳ）は、画像内の文章の文頭を検出する（Ｓ５０３）。検出した文頭箇所から画像を切り出し（Ｓ５０４）、吹き出し表示に適した文字サイズになるように倍率を調整する（Ｓ５０５）。作成した吹き出し用画像データは、画像データと関連づけてメモリに格納される（Ｓ５０６）。
【００７５】
［第５の実施の形態］
【００７６】
本発明の第５の実施の形態における画像処理装置を搭載した画像形成装置の構成は、第１の実施の形態と同じであるため、ここでの説明を繰返さない。第５の実施の形態における画像形成装置では、原稿内に文字以外の例えば写真やグラフなどの画像がある場合には、その画像を吹き出し表示画像とする。また、その写真やグラフなどの画像が小さなものであれば、特に重要なものではないとして、吹き出し表示画像とはしない。
【００７７】
図９は、第５の実施の形態における画像形成装置で実行される吹き出し画像作成処理（図４のＳ１０４）の内容を示すフローチャートである。
【００７８】
画像判別部１０４において、メモリ格納の対象となる画像データが文字なのか、写真などの画像なのかを判別する（Ｓ６０１）。文字がない写真画像などである場合（Ｓ６０１でＮＯ）は、吹き出し表示用の画像は作成しない。
【００７９】
ステップＳ６０１でＹＥＳであれば、文字以外に写真やグラフなどの画像があるかを判別する（Ｓ６０２）。文字しかない場合（Ｓ６０２でＮＯ）は、通常の吹き出し表示用画像を作成する。すなわち、文字の文頭箇所を検出し（Ｓ６０８）、その個所を吹き出し表示用の切り出し画像とし（Ｓ６０９）、ステップＳ６０６に進む。
【００８０】
文字以外の画像がある場合には、その画像のサイズが予め決められているサイズより大きいか小さいかを判別する（Ｓ６０３）。設定されたサイズより文字以外の画像のサイズが小さい場合（Ｓ６０３でＮＯ）は、通常の文頭箇所の吹き出し表示用画像データを作成する。すなわち、ステップＳ６０８以降の処理を行なう。
【００８１】
文字以外の画像のサイズが設定されたサイズより大きい場合（Ｓ６０３でＹＥＳ）は、写真やグラフなどの画像箇所を検出する（Ｓ６０４）。検出した画像を切り出し（Ｓ６０５）、吹き出し表示に適した表示サイズになるように倍率を調整する（Ｓ６０６）。作成した吹き出し用画像データは、画像データと関連づけてメモリに格納される（Ｓ６０７）。
【００８２】
なお、ステップＳ６０３での判断のＹＥＳとＮＯを逆にし、画像のサイズが設定されたサイズより小さければ、写真画像などを切り出して吹き出し表示にすることとしてもよい。この場合、小さな画像を大きく表示できるという効果がある。
【００８３】
［第６の実施の形態］
【００８４】
本発明の第６の実施の形態における画像処理装置を搭載した画像形成装置の構成は、第１の実施の形態と同じであるため、ここでの説明を繰返さない。第６の実施の形態における画像形成装置では、吹き出し表示用画像データを複数作成する。
【００８５】
図１０は、第６の実施の形態における画像形成装置で実行される吹き出し画像作成処理（図４のＳ１０４）の内容を示すフローチャートである。
【００８６】
画像判別部１０４において、メモリ格納の対象となる画像データが文字なのか写真などの画像なのかを判別する（Ｓ７０１）。文字がない写真画像などである場合（Ｓ７０１でＮＯ）は、吹き出し表示用の画像は作成しない。
【００８７】
画像データが文字を含んでいれば（Ｓ７０１でＹＥＳ）、画像内の文章の文頭を検出する（Ｓ７０２）。検出した文頭箇所より画像を切り出し（Ｓ７０３）、吹き出し表示に適した文字サイズになるように倍率を調整する（Ｓ７０４）。作成した吹き出し用画像データは画像データと関連づけてメモリに格納される（Ｓ７０５）。
【００８８】
次に原稿のページ内に文節（または段落などの文の単位や、複数の文）があるか判別する（Ｓ７０６）。文節がない場合（Ｓ７０６でＮＯ）は、吹き出し表示画像データ作成を終了する。
【００８９】
文節がある場合は文節の箇所の頭を検出する（Ｓ７０７）。検出した部分より画像を切り出し（Ｓ７０８）、倍率調整を行ない（Ｓ７０４）、メモリに格納する処理（Ｓ７０５）を繰り返す。
【００９０】
なお文節などの検出は、文字サイズの違いや行間の違いなどで判別する事ができる。
【００９１】
［第７の実施の形態］
【００９２】
本発明の第７の実施の形態における画像処理装置を搭載した画像形成装置の構成は、第１の実施の形態と同じであるため、ここでの説明を繰返さない。第７の実施の形態における画像形成装置では、原稿内に文字以外の例えば写真やグラフなどの画像がある場合には、その画像を吹き出し表示画像とする。
【００９３】
図１１は、第７の実施の形態における画像形成装置で実行される吹き出し画像作成処理（図４のＳ１０４）の内容を示すフローチャートである。
【００９４】
画像判別部１０４において、メモリ格納の対象となる画像データが文字であるか、または写真などの画像であるかを判別する（Ｓ８０１）。画像データ中に文字がなく、画像データが写真画像である場合（Ｓ８０１でＮＯ）は、吹き出し表示用の画像は作成しない。
【００９５】
画像データに文字が含まれるのであれば（Ｓ８０１でＹＥＳ）、画像データに文字以外に写真やグラフなどの画像があるかを判別する（Ｓ８０２）。文字しかない場合（Ｓ８０２でＮＯ）には、通常の吹き出し表示用画像を作成する。すなわち、文字の文頭箇所を検出し（Ｓ８０７）、その部分を切り出し（Ｓ８０８）、ステップＳ８０５へ進む。
【００９６】
文字以外の画像がある場合（Ｓ８０２でＹＥＳ）は、写真やグラフなどの画像箇所を検出する（Ｓ８０３）。検出した画像を切り出し（Ｓ８０４）、吹き出し表示に適した表示サイズになるように倍率を調整する（Ｓ８０５）。作成した吹き出し用画像データは画像データと関連づけてメモリに格納される（Ｓ８０６）。
【００９７】
［実施の形態における効果］
【００９８】
上述の実施の形態によると、画像処理装置は画像データの蓄積部と、複数の蓄積画像を縮小して一覧表示できる表示部と、画像データの領域判別を行なう判別部と、画像データの一部を切り出して倍率を調整できる拡大縮小部とを備える。これにより、画像を一覧表示する場合に、複数の画像を縮小表示すると共に、画像の一部を切り出して拡大することができる。すなわち、サムネイル表示に吹き出し表示を追加することが可能である。これによりユーザは、複数画像を一度に表示する一覧表示の中から所望の画像を容易に選択することができるという効果がある。
【００９９】
［その他］
【０１００】
本発明はＭＦＰ、ファクシミリ装置、複写機、ＰＣなどの画像処理装置に対して実施することができる。
【０１０１】
また、上述の実施の形態における処理は、ソフトウエアによって行なっても、ハードウエア回路を用いて行なってもよい。
【０１０２】
また、上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザに提供することにしてもよい。また、プログラムはインターネットなどの通信回線を介して、装置にダウンロードするようにしてもよい。
【０１０３】
なお、上記実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１０４】
【図１】本発明の第１の実施の形態における画像処理装置を搭載した画像形成装置の構成を示すブロック図である。
【図２】メモリ部１０３に記録されるデータの具体例を示す図である。
【図３】表示部１０６に表示される画像の一覧表示の具体例を示す図である。
【図４】画像処理装置が実行する画像の一覧表示の処理を示すフローチャートである。
【図５】図４の吹き出し画像作成処理（Ｓ１０４）の内容を示すフローチャートである。
【図６】第２の実施の形態における画像形成装置で実行される吹き出し画像作成処理（図４のＳ１０４）の内容を示すフローチャートである。
【図７】第３の実施の形態における画像形成装置で実行される吹き出し画像作成処理（図４のＳ１０４）の内容を示すフローチャートである。
【図８】第４の実施の形態における画像形成装置で実行される吹き出し画像作成処理（図４のＳ１０４）の内容を示すフローチャートである。
【図９】第５の実施の形態における画像形成装置で実行される吹き出し画像作成処理（図４のＳ１０４）の内容を示すフローチャートである。
【図１０】第６の実施の形態における画像形成装置で実行される吹き出し画像作成処理（図４のＳ１０４）の内容を示すフローチャートである。
【図１１】第７の実施の形態における画像形成装置で実行される吹き出し画像作成処理（図４のＳ１０４）の内容を示すフローチャートである。
【符号の説明】
【０１０５】
１０１  ＣＰＵ、１０２  画像入力部、１０３  メモリ部、１０４  画像判別部、１０５  画像拡大・縮小部、１０６  表示部、１０７  画像出力部、１０９  通信部、２０１ａ〜２０１ｄ  画像データ、２０３ａ〜２０３ｄ  サムネイル表示用データ、２０５ａ，２０５ｂ，２０５ｄ  切り出し画像。
【図１】
2008298903.tif 000003
【図２】
2008298903.tif 000004
【図３】
2008298903.tif 000005
【図４】
2008298903.tif 000006
【図５】
2008298903.tif 000007
【図６】
2008298903.tif 000008
【図７】
2008298903.tif 000009
【図８】
2008298903.tif 000010
【図９】
2008298903.tif 000011
【図１０】
2008298903.tif 000012
【図１１】
2008298903.tif 000013